(57)【要約】      （修正有）【課題】人工ネイルを提供する。【解決手段】人工ネイル１００は、指爪のフリーエッジと同一方向に湾曲が形成された一端１１２と、一端の対向側に位置する他端１１４と、一端と他端との両側面に位置したネイルウォール１１６を含み、接着面１１９が指爪に装着される爪状の人工ネイルベッドと、人工ネイルベッドの他端に延設され、接着面方向に折曲形成されたスナッグフィット１２０と、を含む。人工ネイル１００を使うことによって、指爪と人工ネイルベッドとの間の隙間を最小化できるので、隙間から異物が侵入することを防止し、これにより、粘着剤の接着力を長く維持できるだけでなく、活動中に人工ネイルベッドの他端１１４及びネイルウォール１１６に物体が引っ掛かり、人工ネイルベッドが指爪から離されることを防ぎ、一定期間、指爪が成長しても、人工ネイルベッドの他端１１４とキューティクルとの接触状態を維持し続けることができる。【選択図】図２
2014090911.tif 000002
【特許請求の範囲】
【請求項１】
指爪のフリーエッジと同一方向に湾曲が形成される一端と、
前記一端の対向側に位置する他端と、
前記一端と前記他端との両側面に位置したネイルウォールを含み、接着面が前記指爪に装着される爪状の人工ネイルベッドと、
前記人工ネイルベッドの前記他端に延設され、前記接着面の方向に曲面が形成されたスナッグフィットと、
を含む人工ネイル。
【請求項２】
前記ネイルウォールに、前記スナッグフィットがさらに延設されることを特徴とする請求項１に記載の人工ネイル。
【請求項３】
前記接着面に塗布された粘着剤と、
前記接着面に形成される突起であって、前記人工ネイルの一端側の前記粘着剤の境界線に位置する突起と、
をさらに含むことを特徴とする請求項１に記載の人工ネイル。
【請求項４】
前記突起の高さは、前記粘着剤の厚さの５０％ないし１００％であることを特徴とする請求項３に記載の人工ネイル。
【請求項５】
前記スナッグフィットの長さは、前記人工ネイルベッドの長さの１％ないし３０％であることを特徴とする請求項１に記載の人工ネイル。
【請求項６】
前記スナッグフィットは、前記人工ネイルベッドのネイルウォール側の端部の上部面から前記接着面の方向に５゜ないし８０゜傾斜して形成されることを特徴とする請求項１に記載の人工ネイル。
【発明の詳細な説明】
【技術分野】
【０００１】
本発明は、人工ネイルに関し、より詳細には、髪の毛が人工ネイルと指爪との間に付着することを防止するように、人工ネイルと指爪との間の隙間を塞ぐ髪の毛の付着防止用人工ネイルに関する。
【背景技術】
【０００２】
一般的に、爪状の人工ネイルベッドは、指爪に装着することによって、指爪の形状を自在に変更する効果を奏しうる。この際、人工ネイルベッドは、粘着剤を用いて指爪に装着される。
【０００３】
しかし、図１に示したように、人工ネイルベッド１０の装着に使われる粘着剤５の厚さによって、人工ネイルベッド１０と指爪１との間に隙間が生じる。したがって、人工ネイルベッド１０を指爪に装着した状態で無意識的に髪の毛を触る場合、指爪と人工ネイルベッド１０との間の隙間に髪の毛が付着し、粘着剤５に髪の毛が貼り付き、粘着剤が汚なくなる。このような場合、粘着剤の粘着性能が低下するだけではなく、髪の毛が粘着剤のために、人工爪に引っ掛かり、疼痛が発生して、ユーザに不快感を与えるという問題が生じる。すなわち、髪の毛に引っ掛かる過程で粘着剤に異物が容易に侵入するために、粘着剤５の接着力が低下して、人工ネイルベッド１０が容易に指爪１から分離されるという問題が生じる。それだけではなく、人工ネイルベッド１０の他端１４及びネイルウォール１６が露出されているために、ユーザが手で品物をつかむとき、他端１４またはネイルウォール１６が品物に引っ掛り、人工ネイルベッド１０が指爪１から瞬間的に離される可能性がある。この際、人工ネイルベッド１０が、急に指爪１から離されると、指爪１に衝撃が加えられ、疼痛を誘発するだけではなく、活動中に、露出されている人工ネイルベッド１０の他端１４及びネイルウォール１６によって、人体が掻かれて傷が付くという問題も生じる。
【発明の概要】
【発明が解決しようとする課題】
【０００４】
本発明が解決しようとする課題は、人工ネイルと指爪との間の隙間を塞ぐことによって、人工ネイルに髪の毛が付着されることを防ぎ、髪の毛が付着される過程で粘着剤への異物の侵入を防止して、粘着剤の接着力を長期間維持させる人工ネイルを提供することにある。
【課題を解決するための手段】
【０００５】
本発明は、前記課題を解決するために、指爪のフリーエッジと同一方向に湾曲が形成される一端と、前記一端の対向側に位置する他端と、前記一端と前記他端との両側面に位置したネイルウォールを含み、接着面が前記指爪に装着される爪状の人工ネイルベッドと、前記人工ネイルベッドの前記他端に延設され、前記接着面の方向に折曲形成されたスナッグフィットと、を含む人工ネイルを提供する。
【０００６】
本発明の一実施形態によれば、前記人工ネイルの前記ウォールに、前記スナッグフィットがさらに延設されることが望ましい。
【０００７】
また、前記人工ネイルは、前記接着面に塗布された粘着剤と、前記接着面に形成される突起であって、前記人工ネイルの一端側の前記粘着剤の境界線に位置する突起と、をさらに含むことが望ましい。
【０００８】
この際、前記突起の高さは、前記粘着剤の厚さの５０％ないし１００％であることが望ましい。
【０００９】
また、前記スナッグフィットの長さは、前記人工ネイルベッドの長さの１％ないし３０％であることが望ましい。
【００１０】
また、前記スナッグフィットは、前記人工ネイルベッドのネイルウォール側の端部の上部面から前記接着面の方向に５゜ないし８０゜傾斜して形成されたことが望ましい。
【発明の効果】
【００１１】
本発明によれば、指爪と人工ネイルベッドとの間の隙間を塞ぐので、手で頭髪を整理するときに髪の毛が人工ネイルに付着されることを防止することができ、ユーザの不便さを最小化する。指爪と人工ネイルベッドとの間の隙間へのホコリの侵入を最小化し、粘着剤の接着力を長く保持できるだけではなく、活動中に人工ネイルベッドの他端及びネイルウォールに物体が引っ掛かって、人工ネイルベッドが指爪から離されるのを防止し、一定期間、指爪が成長しても、人工ネイルベッドの他端とキューティクルとの接触状態を維持し続けることができる。
【図面の簡単な説明】
【００１２】
【図１】一般的な人工ネイルが指爪に装着された断面図である。
【図２】本発明の一実施形態の人工ネイルの斜視図である。
【図３】本発明の一実施形態の人工ネイルの断面図である。
【図４】本発明の一実施形態の人工ネイルの正面図である。
【図５】本発明の一実施形態の人工ネイルの一部断面図である。
【発明を実施するための形態】
【００１３】
以下、望ましい実施形態を挙げて本発明をより詳細に説明する。しかし、これら実施形態は、本発明をより具体的に説明するためのものであって、本発明の範囲が、これにより、制限されないということは当業者に自明である。
【００１４】
図２には、本発明の一実施形態の人工ネイル１００の斜視図が示されている。
【００１５】
本発明の人工ネイル１００は、図２に示したように、指爪１のフリーエッジと同一方向に湾曲が形成される一端１１２と、前記一端１１２の対向側に位置する他端１１４と、前記一端１１２と他端１１４との両側面に位置したネイルウォール１１６を含み、接着面１１９が指爪に装着される爪状の人工ネイルベッド１１０と、前記人工ネイルベッド１１０の他端１１４に延設され、前記接着面１１９の方向に折曲形成されるスナッグフィット１２０とを含む。
【００１６】
スナッグフィット１２０は、他端１１４に延設されても、ネイルウォール１１６に沿って延設されてもよい。前記人工ネイルベッド１１０の他端１１４及びネイルウォール１１６にスナッグフィット１２０を延設することにより、粘着剤５の厚さによって、人工ネイルベッド１１０と指爪１との間に形成された隙間を塞ぐことができる。
【００１７】
すなわち、人工ネイルベッド１１０の下部面である接着面１１９に粘着剤５が塗布されれば、粘着剤５によって、人工ネイルベッド１１０が指爪１に装着される。この際、粘着剤５は、一定厚さに形成されているために、粘着剤５が塗布されない人工ネイルベッド１１０の外郭線側に隙間が形成され、その隙間に髪の毛やホコリのような異物が侵入する。したがって、粘着剤５及び人工ネイルベッド１１０が汚染され、粘着剤５の接着力が異物によって低下する。本発明は、このような問題を解決するために、人工ネイルベッド１１０の一端１１２を除いた外郭線部位、すなわち、他端１１４、及びネイルウォール１１６にスナッグフィット１２０を延設させる。
【００１８】
図３には、本発明の一実施形態の人工ネイル１００が指爪１に装着された断面図が示されている。
【００１９】
まず、本発明の人工ネイル１００のスナッグフィット１２０は、人工ネイルベッド１１０の他端１１４に延設されている。前記スナッグフィット１２０は、接着面１１９の方向に折曲形成されているために、キューティクルＱが位置した他端１１４側からの異物の侵入を防止することができる。その際、人工ネイル１００は、拡大図の図３の（ａ）に示したように、他端１１４側に位置したスナッグフィット１２０がキューティクルＱを支えながら、一端１１２側の方向に力を受けて、さらに折り曲げられた状態で指爪１に装着させ得る。
【００２０】
このように、スナッグフィット１２０が力を受けるように人工ネイル１００を指爪１に装着されれば、一定期間、指爪１が成長しても、キューティクルＱと髪の毛の付着防止用人工ネイル１００との間に隙間が生じないようにできる。すなわち、拡大図の図３の（ｂ）に示したように、指爪１が成長し、キューティクルＱを支える力が緩和されれば、スナッグフィット１２０がキューティクルＱを支えて折り曲げられていた程度が緩くなる。したがって、実際のスナッグフィット１２０の長さが変化しなかったが、指爪１の長さが変わっても、スナッグフィット１２０が依然としてキューティクルＱと接するようになり、キューティクルＱと人工ネイル１００との間に隙間が発生しない。前記のように、スナッグフィット１２０を指爪１に接着させることによって、異物が人工ネイルベッド１１０と指爪１との間に付着されないようにできる。それだけではなく、一定期間、指爪が成長しても、スナッグフィット１２０が引き続きキューティクルに接した状態を維持することができる。
【００２１】
本発明の人工ネイル１００は、指爪１に装着されるとき、初めから拡大図の図３の（ｂ）にように、指爪１に装着することもできる。すなわち、スナッグフィット１２０が、キューティクルＱによって力を受けないように指爪に装着することもできる。
【００２２】
また、人工ネイル１００の接着面１１９には、突起１１８をさらに形成することもできる。粘着剤５は、接着面１１９の全体に亘って塗布されず、その一部にのみ塗布され得る。その際、人工ネイルベッド１１０の一端１１２側を除いた位置にスナッグフィット１２０が形成されているために、粘着剤５は、異物から隔離され得る。さらに、本発明の一実施形態の異物防止用人工ネイルは、人工ネイルベッド１１０の一端１１２側でも、粘着剤５が異物と隔離されるように突起１１８を設置することができる。すなわち、前記人工ネイルベッド１１０の一端１１２側に位置した粘着剤５の境界線位置に突起１１８が突設されうる。前記突起１１８は、接着剤の境界線の全体に沿って形成されてもよく、突起１１８が複数個の点状に形成されてもよい。前記のように、突起１１８を形成する場合、人工ネイルベッド１１０の一端１１２側に粘着剤５によって形成された隙間に異物の侵入を防止することができる。
【００２３】
この際、前記突起１１８の高さは、前記粘着剤５厚さの５０％ないし１００％に形成されることが望ましい。例えば、粘着剤５の厚さを１とすると、前記突起１１８の高さが０．５未満であれば、突起と指爪との間の隙間が大きくなるために、突起１１８と指爪１との間に異物が侵入し、突起１１８の高さが１を超過すれば、突起１１８によって髪の毛の付着防止用人工ネイル１００が指爪１に容易に接着されない。すなわち、前記突起１１８の高さが０．５ないし１の間であれば、突起１１８と指爪１との間に隙間があっても、隙間への異物の侵入を防止することができる。
【００２４】
本発明の人工ネイル１００は、粘着剤５としては、両面テープやネイルグルーのうちいずれかを使用可能である。
【００２５】
図４には、本発明の一実施形態の人工ネイル１００が指爪１に装着された正面図が示されている（但し、突起１１８は図４から省略した）。
【００２６】
ネイルウォール１１６に延設されたスナッグフィット１２０は、図４に示したように、粘着剤５によって指爪１の側面と人工ネイルベッド１１０との間に形成された隙間への異物の侵入を防止する。また、人工ネイルベッド１１０が、品物に引っ掛って指爪１から離されることを防止し、かつ、ネイルウォール１１６の端部によって、人体の損傷を防止することができる。すなわち、人工ネイルベッド１１０の他端１１４及びネイルウォール１１６が露出した従来の人工ネイルと異なり、本発明の人工ネイル１００は、人工ネイルベッド１１０に延設されたスナッグフィット１２０によって、人工ネイルベッド１１０の他端１１４及びネイルウォール１１６が指爪１と接するのと同じ効果を奏する。したがって、人工ネイル１００が、品物に引っ掛って離されることを防止できるだけではなく、人工ネイルベッド１１０の他端１１４及びネイルウォール１１６の端部によって、人体が掻かれて損傷が加えられることを防止することができる。
【００２７】
図５には、本発明の一実施形態の人工ネイルの一部断面図が示されている。図５では、容易に理解できるように、人工ネイルベッド１１０の他端１１４に結合されたスナッグフィット１２０のみ示されているが、これに限定されず、人工ネイルベッド１１０のネイルウォール１１６に結合されたスナッグフィット１２０も、他端１１４に結合されたスナッグフィット１２０と同じ状態及び同じ角度そして長さで形成される。
【００２８】
本発明の一実施形態の人工ネイルは、図５に示したように、人工ネイルベッド１１０より大きく湾曲している。したがって、スナッグフィット１２０の部分が、人工ネイルベッド１１０と比較して接着面１１９の方向にさらに湾曲している。その際、スナッグフィット１２０と人工ネイルベッド１１０とが合う地点でのスナッグフィット１２０の上部面の接線と人工ネイルベッド１１０の上部面の接線との間の角度θが、５゜ないし８０゜の範囲で傾斜して形成される。これは、スナッグフィットによって人工ネイルと指爪間との間の隙間を効果的に塞ぐためのものであって、前記角度θが５゜未満である場合、人工ネイルベッドの湾曲と類似しているために、髪の毛や異物が侵入する。また、前記角度θが８０゜を超える場合、スナッグフィット１２０の末端が指爪を押しながら、粘着剤５に粘着力と逆方向の力を作用することになる。したがって、スナッグフィット１２０と人工ネイルベッド１１０とが合う地点でのスナッグフィット１２０の上部面の接線と人工ネイルベッド１１０の上部面の接線との間の角度θの範囲が５゜ないし８０゜の範囲で傾斜して形成されることが望ましい。
【００２９】
また、スナッグフィット１２０の長さＬに関して、スナッグフィット１２０の角度θに応じて、人工ネイルベッド１１０に結合される長さが変化し得る。ここで、スナッグフィット１２０の長さは、前記人工ネイルベッド１１０の長さの１％ないし３０％であることが望ましい。スナッグフィット１２０の長さが、前記人工ネイルベッド１１０の長さの１％未満である場合、スナッグフィット１２０が８０゜の角度θを有しても、その長さが短く、髪の毛や異物が人工ネイルと指爪との間の隙間に侵入し得る。また、スナッグフィット１２０は、人工ネイルベッド１１０より大きく湾曲しているために、スナッグフィット１２０の長さが人工ネイルベッド１１０の長さの３０％を超える場合、指爪に適用されると、スナッグフィット１２０が装着された位置やネイルウォール近くに形成された人工ネイルベッド１１０の端部に位置した粘着テープの接着力が低下する。したがって、スナッグフィット１２０の長さは、前記人工ネイルベッド１１０の長さの１％ないし３０％であることが望ましい。ここで、人工ネイルベッド１１０の長さは、人工ネイルベッド１１０の一端１１２及び他端１１４の間の長さだけではなく、ネイルウォール１１６までの長さも表す。従って、ネイルウォール１１６に結合されるスナッグフィット１２０の長さは、実質的には人工ネイルベッド１１０の幅方向の長さを基準として決定される。
【００３０】
本発明の単純な変形または変更は、いずれも当業者によって容易に実施され、このような変形や変更は、いずれも本発明の領域に含まれる。
【産業上の利用可能性】
【００３１】
本発明は、人工ネイルに関連する分野に適用可能である。
【符号の説明】
【００３２】
１：指爪
５：粘着剤
１００：人工ネイル
１１０：人工ネイルベッド
１１２：一端
１１４：他端
１１６：ネイルウォール
１１８：突起
１１９：接着面
１２０：スナッグフィット
Ｑ：キューティクル
【図５】
2014090911.tif 000003
【図１】
2014090911.tif 000004
【図２】
2014090911.tif 000005
【図３】
2014090911.tif 000006
【図４】
2014090911.tif 000007
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
指爪のフリーエッジと同一方向に湾曲が形成される一端と、
前記一端の対向側に位置する他端と、
前記一端と前記他端との間の両側面に位置したネイルウォールと、前記指爪に装着される接着面とを含む爪状の人工ネイルベッドと、
前記人工ネイルベッドの前記他端に延設され、前記接着面の方向に曲面が形成されたスナッグフィットと、を含み、
前記スナッグフィットは、さらに前記ネイルウォールに延設され、
前記スナッグフィットの長さは、前記人工ネイルベッドの長さの１％ないし３０％である人工ネイル。
【請求項２】
前記接着面に塗布された粘着剤と、
前記粘着剤よりも前記人工ネイルベッドの一端側に位置する箇所であって前記接着面に形成される突起と、
をさらに含み、
前記突起と前記スナッグフィットとは、前記接着面が前記指爪に装着された状態で前記指爪の上面と当接するように形成されることを特徴とする請求項１に記載の人工ネイル。
【請求項３】
前記突起の高さは、前記粘着剤の厚さの５０％ないし１００％であることを特徴とする請求項２に記載の人工ネイル。
【請求項４】
前記スナッグフィットは、前記人工ネイルベッドのネイルウォール側の端部の上部面から前記接着面の方向に５°ないし８０°傾斜して形成されることを特徴とする請求項１に記載の人工ネイル。
【手続補正２】
【補正対象書類名】明細書
【補正対象項目名】０００５
【補正方法】変更
【補正の内容】
【０００５】
本発明は、前記課題を解決するために、指爪のフリーエッジと同一方向に湾曲が形成される一端と、前記一端の対向側に位置する他端と、前記一端と前記他端との間の両側面に位置したネイルウォールと、前記指爪に装着される接着面とを含む爪状の人工ネイルベッドと、前記人工ネイルベッドの前記他端に延設され、前記接着面の方向に曲面が形成されたスナッグフィットと、を含み、前記スナッグフィットは、さらに前記ネイルウォールに延設され、前記スナッグフィットの長さは、前記人工ネイルベッドの長さの１％ないし３０％である人工ネイルを提供する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
また、前記人工ネイルは、前記接着面に塗布された粘着剤と、前記粘着剤よりも前記人工ネイルベッドの一端側に位置する箇所であって前記接着面に形成される突起と、をさらに含み、前記突起と前記スナッグフィットとは、前記接着面が前記指爪に装着された状態で前記指爪の上面と当接するように形成されることが望ましい。
【手続補正５】
【補正対象書類名】明細書
【補正対象項目名】０００９
【補正方法】削除
【補正の内容】